(57)【特許請求の範囲】
【請求項１】
カートリッジ（３０，４０）を挿入するための挿入空間を有していると共に、大きさの異なる複数種類のカートリッジ（３０，４０）を挿入空間に挿入可能なディスク装置であって、
上記カートリッジ（３０，４０）の挿入方向に対して直交する方向である挿入空間幅方向への移動が可能な左右一対のサイドホルダ（５２，５２）と、
上記複数種類のカートリッジ（３０，４０）のうち幅方向の寸法が最も小さいもの（３０）以外のカートリッジ（４０）を挿入する際、その挿入されるカートリッジ（４０）の端面が当接することにより、各サイドホルダ（５２，５２）を、上記挿入空間幅方向の両外側に、上記カートリッジ（４０）の幅方向の寸法に応じて左右連動して移動させる幅可変機構とを備えており、
この幅可変機構は、
各サイドホルダ（５２，５２）に対応して配設された左右一対のリンクアーム（５４，５４）を備えていると共に、挿入されるカートリッジ（４０）の挿入側前端部と当接してその当接力を受ける左右一対の駆動アーム（５７，５７）を備えており、
挿入空間幅方向の一方側に位置する駆動アーム（５７）が他方側に位置するリンクアーム（５４）に連結アーム（５６）によって連結され、且つ他方側に位置する駆動アーム（５７）が一方側に位置するリンクアーム（５４）に連結アーム（５６）によって連結されており、
上記挿入空間にカートリッジ（３０，４０）が挿入されていない状態では、サイドホルダ（５２，５２）により形成されている挿入空間の幅方向の寸法が、複数種類のカートリッジ（３０，４０）のうち幅方向の寸法が最も小さいもの（３０）の幅寸法に略一致するよう構成されていることを特徴とするディスク装置。
【請求項２】
請求項１記載のディスク装置において、
幅可変機構は、固定ホルダ（５１）に一端が回転自在に支持され、且つ複数種類のカートリッジ（３０，４０）のうち幅方向の寸法が最も小さいもの（３０）以外のカートリッジ（４０）が挿入された際にカートリッジ前端部と当接する操作部（５８）が他端に設けられた左右一対の駆動アーム（５７，５７）を有し、左右一対のサイドホルダ（５２，５２）には挿入空間幅方向に広がる段差部（５３）（５２ａ）が設けられ、上記操作部（５８）はカートリッジ（４０）からの力を段差部（５３）（５２ａ）に伝えることでサイドホルダ（５２，５２）間の幅寸法を可変とするよう構成されていることを特徴とするディスク装置。
【請求項３】
請求項１または２記載のディスク装置において、
幅可変機構は、カートリッジ（３０，４０）が挿入されていない状態では、左右一対の駆動アーム（５７，５７）においてカートリッジ（４０）の挿入側前端部と当接する先端部同士の間隔寸法が、複数種類のカートリッジ（３０，４０）のうち幅方向の寸法が最も小さいもの（３０）の幅寸法に略一致するよう構成されていることを特徴とするディスク装置。
【請求項４】
請求項１、２または３記載のディスク装置において、
一対の駆動アーム（５７，５７）のうち一方の駆動アーム（５７）のみにカートリッジ（３０，４０）の挿入側前端部が当接した際、幅可変機構の作動を阻止する阻止機構を備えていることを特徴とするディスク装置。
【請求項５】
請求項１、２、３または４記載のディスク装置において、
複数種類のカートリッジ（３０，４０）のうち幅方向の寸法が最も小さいもの（３０）以外のカートリッジ（４０）を挿入空間に挿入し、各サイドホルダ（５２，５２）の間隔がカートリッジ（４０）の幅方向の寸法と同等になったときに、駆動アーム（５７，５７）の先端部に備えられた回転ローラ（５９，５９）が、サイドホルダ（５２，５２）のカートリッジ挿入方向前端側に設けられた段差部としてのサイドホルダ段差（５３，５３）（５２ａ，５２ａ）に入り込み、回転ローラ（５９，５９）がサイドホルダ（５２，５２）を挿入空間幅方向の両外側に押すように構成されている一方、
サイドホルダ（５２，５２）間を狭くする方向に戻そうとする付勢手段（６２）による側圧が、サイドホルダ段差（５３，５３）（５２ａ，５２ａ）から回転ローラ（５９，５９）を介して、カートリッジ（４０）の側面に与えられて、カートリッジ（４０）がサイドホルダ（５２，５２）から直接側圧を受けることのない構成とされていることを特徴とするディスク装置。
【発明の詳細な説明】
【０００１】
【発明の属する技術分野】
本発明は、ディスクケース内に光ディスクや磁気ディスクが収容されて成る記録メディア（以下、カートリッジと呼ぶ）に対して情報の記録や読み出しを行うためのディスク装置に係る。特に、本発明は、大きさの異なる複数種類のカートリッジに対応可能なディスク装置を提供するための改良に関するものである。
【０００２】
【従来の技術】
従来より、ミニディスク等に代表されるカートリッジは、専用のディスク装置（ドライブとも呼ばれる）に装填されて、光磁気ディスクに対する情報の記録や読み出しが行われる。以下に、一般的なディスク装置について説明する。
【０００３】
図２７は、従来の一般的なディスク装置を示す図であって、（ａ）は平面図、（ｂ）は側面図、（ｃ）は底面図である。これら図に示すように、ディスク装置は、ベースシャーシ３の上部にカートリッジホルダ２６が取り付けられて外殻が構成されている。また、このカートリッジホルダ２６は、回動支点２７回りに所定角度範囲内での回動が可能となるようにベースシャーシ３に支持されている。
【０００４】
このため、ディスク装置に対するカートリッジ２の装填作業では、先ず、カートリッジホルダ２６がベースシャーシ３に対して上方へ回動した状態で、図２７（ａ）の下側からカートリッジ２がカートリッジホルダ２６に挿入される。その後、カートリッジホルダ２６をベースシャーシ３側（下方）へ回動させ、これによってカートリッジ２がディスク装置に装填されることになる。
【０００５】
また、ベースシャーシ３の略中央にはスピンドルモータ４が配設されており、ベースシャーシ３上に突出しているスピンドルモータ軸に取り付けられたハブによって光磁気ディスク１がチャッキングされる。光磁気ディスク１に対して情報の記録や読み出しを行う際には、このチャッキング状態でスピンドルモータ４が駆動して、光磁気ディスク１を所定速度で回転させるようになっている。
【０００６】
このようにして挿入された光磁気ディスク１を間に挟んで対向する位置には、ピックアップユニット７及び磁気ヘッド１２がそれぞれ配置されている。
【０００７】
ピックアップユニット７は、レーザ光源８から出射されたレーザ光を、光磁気ディスク１の表面に対して直角方向から照射するようにミラー９またはプリズムにて反射し、この反射されたレーザ光を、対物レンズ１１によって光磁気ディスク１の記録層上に集光させるように構成されている。
【０００８】
また、このピックアップユニット７は、スライド機構１５によって光磁気ディスク１の半径方向（図２７（ｃ）における左右方向）にスライド可能となっている。ベースシャーシ３にはスピンドルモータ軸の軸心方向に対して直角方向に延びるガイド軸１９が固定されており、ピックアップユニット７は、スライド機構１５の駆動によって、このガイド軸１９にガイドされてスライド移動するようになっている。
【０００９】
上記スライド機構１５は、送りモータ１６、伝達機構１７、送りネジ１８を備えている。送りモータ１６が駆動することにより、その動力が伝達機構１７に伝達され、送りネジ１８を回転させる。そして、ピックアップユニット７は、この送りネジ１８に噛み合わされており、この送りネジ１８の回転によってガイド軸１９に沿って光磁気ディスク１の半径方向にスライドする構成となっている。
【００１０】
ピックアップユニット７にはグリップバネ２０が取り付けられている。このグリップバネ２０の先端部には、送りネジ１８にガタ無く噛み合うような形状の図示しない突起部が設けられている。グリップバネ２０は、その全体がバネ性を有しており、上記突起部が送りネジ１８に押し付けられるように固定されている。これによって、ピックアップユニット７は、送りネジ１８が回転した際、がたつき無く光磁気ディスク１の半径方向にスライドする。
【００１１】
一方、磁気ヘッド１２は、フェライトにて一体形成されたコアを取り囲むようにコイルが挿入されて構成されている。この磁気ヘッド１２は、光磁気ディスク１の表面に対して直交する方向に荷重が掛かるようにバネ性を有するサスペンション１３に取り付けられている。このサスペンション１３はヘッド取付アングル１４に固定されている。このヘッド取付アングル１４は、磁気ヘッド１２と対物レンズ１１によって集光されたスポットとを所定位置に位置決めするように、ピックアップユニット７のハウジング１０に固定されている。これにより、ピックアップユニット７が、スライド機構１５によって光磁気ディスク１の半径方向にスライドする際には、ハウジング１０に固定された磁気ヘッド１２も連動して同方向にスライドするようになっている。
【００１２】
磁気ヘッド１２は、光磁気ディスク１への情報記録時にはディスク面に付勢されるが、情報の再生時や取り出し時には磁気ヘッド昇降機構によってディスク面から離れる方向へ移動されるようになっている。
【００１３】
この磁気ヘッド昇降機構は、ベースシャーシ３の下面に配置されたヘッド昇降モータ２３、減速機構２５、ヘッド昇降モータ２３の駆動力を減速機構２５を経て受ける回転レバー２４、サスペンション１３とカートリッジ２との間に回転自在に設けられたヘッド昇降レバー２１を備えている。すなわち、この磁気ヘッド昇降機構の駆動時には、先ず、ヘッド昇降モータ２３の回転力が減速機構２５から回転レバー２４に伝達される。そして、回転レバー２４がヘッド昇降レバー２１を回転させ、サスペンション１３と磁気ヘッド１２を光磁気ディスク１より所定量だけ離間させる。通常、ヘッド昇降レバー２１はカートリッジ２の上側にあるが、ヘッド昇降レバー２１を動作させる駆動部はベースシャーシ３の下側にあり、回転レバー２４にてカートリッジ２の外周部より上下を連結していることによって、ヘッド昇降レバー２１を回転させることができるようになっている。
【００１４】
上記光磁気ディスク１に対して情報の記録を行う場合は、光磁気ディスク１をスピンドルモータ４によって所定速度で回転させ、磁気ヘッド１２を磁気ヘッド昇降機構にて降下させてサスペンション１３によってディスク面に付勢する。更に光磁気ディスク１に形成される記録層に、ピックアップユニット７からレーザ光を入射させることで、記録層中、レーザ光の入射を受けた部分が、レーザ光により温度上昇し、外部磁界の向きに応じた磁化変化を行う。外部磁界は記録信号に応じて変化するという所謂磁界変調方式によって、記録層に所定のパターンをもって磁化方向反転領域が形成されて情報の書込みが行われる。そして、スライド機構１５によって、ピックアップユニット７を光磁気ディスク１の半径方向に移動させながら順次記録を行っていく。
【００１５】
また、光磁気ディスク１に対して情報の再生が行われる場合には、磁気ヘッド昇降機構によって、サスペンション１３と磁気ヘッド１２とを光磁気ディスク１から所定量だけ離間させる。この状態でレーザ光によって情報を読み出す。そして、上述した記録時の場合と同様に、スライド機構１５によって、ピックアップユニット７を光磁気ディスク１の半径方向に移動させながら順次再生を行っていく。
【００１６】
このように従来のディスク装置は、１種類の大きさのカートリッジを対象にしたものが一般的であり、２種類以上のカートリッジに対応したものは一般的ではなかった。
【００１７】
２種類以上のカートリッジに対する情報の記録や読み出しを同一のディスク装置によって行えるようにする技術として、例えば、特開２００１−６２１０号公報に開示されているものがある。この公報では、大小２種類のカートリッジをディスク装置に装填可能とするために、小カートリッジを大カートリッジの寸法に合わせるためのアダプタが提案されている。つまり、大カートリッジの寸法に合致したアダプタを用意しておき、小カートリッジをアダプタに挿入することによってディスク装置への装填を可能にしている。
【００１８】
また、特開平１０−１１８５３号公報では、小カートリッジ用の補助蓋部をディスク装置に設け、この補助蓋部が小カートリッジを挿入するときのガイドとなる構成について提案されている。
【００１９】
更に、特開平９−１２０６１４号公報には、大きさの異なるフロッピーディスクカートリッジに対応できる装置が提案されている。つまり、第１のディスクカートリッジの横幅よりも大きい第２のディスクカートリッジが選択的に挿入可能なフロッピーディスク装置に関するものであり、第１のディスクカートリッジが挿入された際、第１のディスクカートリッジの両側面を当該第１のディスクカートリッジの挿入方向にガイドして保持し、第２のディスクカートリッジが挿入された際、第２のディスクカートリッジをガイドすると共に第２のディスクカートリッジを付勢して保持する位置決め手段を備えるフロッピーディスク装置が提案されている。
【００２０】
【発明が解決しようとする課題】
しかしながら、上述した各公報に開示されている技術にあっては以下に述べる課題があった。
【００２１】
先ず、特開２００１−６２１０号公報に開示されているものでは、小カートリッジを使用する際には、この小カートリッジをアダプタに挿入するといった作業が必要があり、作業性が良好であるとは言えなかった。
【００２２】
また、特開平１０−１１８５３号公報に開示されているものでは、蓋部のみによって小カートリッジをガイドするものであるため、装置内の所定位置に小カートリッジが装填できる保証がなく、信頼性に乏しいものである。また、大カートリッジを挿入する場合には、補助蓋部を邪魔にならない位置まで回動させた状態で大カートリッジの挿入作業を行う必要があり、この場合にも作業性が良好であるとは言えなかった。
【００２３】
更に、特開平９−１２０６１４号公報に開示されているものでは、複数種類のカートリッジに対応するべくカートリッジホルダの幅を可変とする機構として板バネの付勢力を利用しているが、この付勢力のみではカートリッジの正確な位置決めを行うことは困難であり、信頼性の面で課題がある。また、単にカートリッジホルダの幅が可変となっているだけであるので、対象としない規格のカートリッジ（規格外カートリッジ）を誤って挿入してしまう可能性があり、この場合には装置の内部機構の破損に繋がってしまうおそれがある。
【００２４】
本発明は、以上の課題に鑑みてなされたものであって、大きさの異なるカートリッジに対応でき、そのカートリッジを正確に位置決めすることができるディスク装置を提供することを目的としている。
【００２５】
【課題を解決するための手段】
上記の目的を達成するために本発明が講じた手段は、先ず、カートリッジ（３０，４０）を挿入するための挿入空間を有していると共に、大きさの異なる複数種類のカートリッジ（３０，４０）を挿入空間に挿入可能なディスク装置を前提とする。このディスク装置に対し、カートリッジ（３０，４０）の挿入方向に対して直交する方向である挿入空間幅方向への移動が可能な左右一対のサイドホルダ（５２，５２）と、複数種類のカートリッジ（３０，４０）のうち幅方向の寸法が最も小さいもの（３０）以外のカートリッジ（４０）を挿入する際、その挿入されるカートリッジ（４０）の端面が当接することにより、各サイドホルダ（５２，５２）を、上記挿入空間幅方向の両外側に、上記カートリッジ（４０）の幅方向の寸法に応じて左右連動して移動させる幅可変機構とを備えさせる。また、この幅可変機構に、各サイドホルダ（５２，５２）に対応して配設された左右一対のリンクアーム（５４，５４）を備えていると共に、挿入されるカートリッジ（４０）の挿入側前端部と当接してその当接力を受ける左右一対の駆動アーム（５７，５７）を備えさせる。また、挿入空間幅方向の一方側に位置する駆動アーム（５７）を他方側に位置するリンクアーム（５４）に連結アーム（５６）によって連結し、且つ他方側に位置する駆動アーム（５７）を一方側に位置するリンクアーム（５４）に連結アーム（５６）によって連結している。更に、上記挿入空間にカートリッジ（３０，４０）が挿入されていない状態では、サイドホルダ（５２，５２）により形成されている挿入空間の幅方向の寸法が、複数種類のカートリッジ（３０，４０）のうち幅方向の寸法が最も小さいもの（３０）の幅寸法に略一致するよう上記幅可変機構を構成している。
【００２６】
この特定事項により、大きさの異なるカートリッジ（３０，４０）に対応可能なディスク装置を得ることができ、しかも、カートリッジ（４０）の幅方向の寸法に応じて各サイドホルダ（５２，５２）が挿入空間幅方向に左右連動するため、カートリッジ（４０）を正確に位置決めしながら挿入空間に挿入することが可能になる。
【００２９】
また、固定ホルダ（５１）に一端が回転自在に支持され、且つ複数種類のカートリッジ（３０，４０）のうち幅方向の寸法が最も小さいもの（３０）以外のカートリッジ（４０）が挿入された際にカートリッジ前端部と当接する操作部（５８）が他端に設けられた左右一対の駆動アーム（５７，５７）を幅可変機構に備えさせる。また、左右一対のサイドホルダ（５２，５２）に、挿入空間幅方向に広がる段差部（５３）（５２ａ）を設け、上記操作部（５８）がカートリッジ（４０）からの力を段差部（５３）（５２ａ）に伝えることでサイドホルダ（５２，５２）間の幅寸法を可変とする構成としている。
【００３１】
このように幅可変機構を構成したことにより、比較的簡素な構成で、設置スペースの小さい幅可変機構を得ることが可能になる。
【００３２】
また、幅可変機構は、カートリッジ（３０，４０）が挿入されていない状態では、左右一対の駆動アーム（５７，５７）においてカートリッジ（４０）の挿入側前端部と当接する先端部同士の間隔寸法が、複数種類のカートリッジ（３０，４０）のうち幅方向の寸法が最も小さいもの（３０）の幅寸法に略一致するよう構成されている。
【００３３】
これらの特定事項により、複数種類のカートリッジ（３０，４０）のうち幅方向の寸法が最も小さいもの（３０）の挿入作業にあっては、幅可変機構を作動させることなく行うことができる。つまり、幅可変機構を初期状態に維持したまま、この幅方向の寸法が最も小さいカートリッジ（３０）を正確に位置決めして挿入空間へ挿入することが可能になる。
【００３４】
カートリッジ挿入時の誤作動を回避する構成として以下のものが掲げられる。つまり、一対の駆動アーム（５７，５７）のうち一方の駆動アーム（５７）のみにカートリッジ（３０，４０）の挿入側前端部が当接した際、幅可変機構の作動を阻止する阻止機構を備えさせている。
【００３６】
このような阻止機構を設けたことにより、誤って片側の駆動アーム（５７）のみにカートリッジ（３０，４０）を当接させるように挿入作業を行った場合、幅可変機構が作動することはなく、カートリッジ（３０，４０）の挿入は不能となる。つまり、正確な位置にカートリッジ（３０，４０）を挿入しない限り幅可変機構は作動しないため、カートリッジ挿入時の誤作動を回避することが可能となる。
【００４０】
複数種類のカートリッジ（３０，４０）のうち幅方向の寸法が最も小さいもの（３０）以外のカートリッジ（４０）を挿入空間に挿入し、各サイドホルダ（５２，５２）の間隔がカートリッジ（４０）の幅方向の寸法と同等になったときに、駆動アーム（５７，５７）の先端部に備えられた回転ローラ（５９，５９）が、サイドホルダ（５２，５２）のカートリッジ挿入方向前端側に設けられた段差部としてのサイドホルダ段差（５３，５３）（５２ａ，５２ａ）に入り込み、回転ローラ（５９，５９）がサイドホルダ（５２，５２）を挿入空間幅方向の両外側に押すように構成する。一方、サイドホルダ（５２，５２）間を狭くする方向に戻そうとする付勢手段（６２）による側圧が、サイドホルダ段差（５３，５３）（５２ａ，５２ａ）から回転ローラ（５９，５９）を介して、カートリッジ（４０）の側面に与えられて、カートリッジ（４０）がサイドホルダ（５２，５２）から直接側圧を受けることのない構成としている。
【００４１】
この構成によれば、サイドホルダ段差（５３，５３）から駆動アーム（５７，５７）への反力によってカートリッジ（４０）に対する保持力が良好に得られた状態で挿入作業を行うことができる。これによっても、挿入時のカートリッジ（４０）の位置決めを良好に行うことができる。
【００４５】
【発明の実施の形態】
以下、本発明の実施の形態を図面に基づいて説明する。以下の実施形態では、本発明を光磁気ディスク記録再生装置に適用した場合について説明する。また、本発明の特徴部分は、大きさの異なる複数種類のカートリッジに対応可能な機構を光磁気ディスク記録再生装置が備えている点にあり、その他の構成は上記図２７を用いて説明した従来技術のものと同様である。従って、以下の実施形態では、上述した従来技術のものと同一の構成部分については、図２７と同一の符号を付してその説明を省略する。
【００４６】
（第１実施形態）
先ず、本発明の第１実施形態について説明する。図１は本形態に係る可変式カートリッジホルダ５０を搭載した光磁気ディスク記録再生装置（以下、単にディスク装置と呼ぶ）に対して大カートリッジ４０を挿入する際の図であり、図２はこのディスク装置に対して小カートリッジ３０を挿入する際の図である。また、図３（ａ）はディスク装置の平面図、図３（ｂ）はディスク装置の側面図、図３（ｃ）はディスク装置の底面図である。更に、図４は図１に示す状態での装置内部機構を示す斜視図であり、図５は図２に示す状態での装置内部機構を示す斜視図である。
【００４７】
これら各図に示すように、本ディスク装置は、大きさの異なる複数種類のカートリッジ３０，４０に対応可能な機構を備えている。以下、この機構について詳述する。
【００４８】
この可変式カートリッジホルダ５０は、カートリッジ３０，４０の挿入部分となる固定ホルダ５１を備えている。この固定ホルダ５１は、前面にカートリッジ３０，４０を挿入するための開口が形成されており、左右両端部分が略コ字形状とされた箱型に形成されている。また、この固定ホルダ５１の幅方向は、複数種類のカートリッジ３０，４０の最大寸法よりも後述するホルダ部材としてのサイドホルダ５２が動作するスペース分だけ大きく設定されている。また、この固定ホルダ５１の高さ寸法も、サイドホルダ５２が入るスペース分と後述する幅可変機構が入るスペース分だけ大きく設定されている。
【００４９】
固定ホルダ５１の内部の左右両側（本発明でいうカートリッジ挿入方向に対して直交する方向である挿入空間幅方向の両側）には、断面が略Ｌ字形状に形成されたサイドホルダ５２，５２がそれぞれ配設されており、これらサイドホルダ５２，５２同士の間にカートリッジの挿入空間が形成されている。各サイドホルダ５２，５２は、その上面が、それぞれ伸縮手段としてのリンクアーム５４によって固定ホルダ５１に連結されている。各リンクアーム５４は、片側が固定ホルダ５１に、もう片側がサイドホルダ５２にそれぞれ回転自在に支持されており、横方向（図３（ａ）の左右方向）へ伸縮を行う平行リンク機構を構成している。サイドホルダ５２のもう一方の壁（図中鉛直方向に延びる壁）は、サイドホルダ５２の外側縁に形成されており、幅可変機構の駆動によりカートリッジ３０，４０の寸法に応じて移動可能となっている（詳細は後述する）。
【００５０】
また、図中右側に位置するサイドホルダ５２には、カートリッジ３０，４０の挿入時にシャッタ３１，４１のロックを解除するためのロック解除部材７１と、シャッタ３１，４１を保持するためのシャッタ保持部材７２とが設けられている。
【００５１】
一方、可変式カートリッジホルダ５０の前面部分にあっては、大カートリッジ４０の前端部と当接する操作部５８を有した駆動機構としての駆動アーム５７が、固定ホルダ５１に回転自在に固定されている。操作部５８は、回転自在な回転ローラ５９によって構成されている。大カートリッジ４０が挿入される際には、この大カートリッジ４０の端面が操作部５８に当接されることになるが、この操作部５８が回転することによって挿入時の負荷を低減できるようになっている。
【００５２】
上記駆動アーム５７には、回転支点に対して操作部５８と反対側に連結手段としての連結アーム５６の一端が連結されている。この連結アーム５６の他端はリンクアーム５４に連結されている。また、一方の連結アーム５６は図中左側の駆動アーム５７と右側のリンクアーム５４とを連結し、他方の連結アーム５６は図中右側の駆動アーム５７と左側のリンクアーム５４とを連結している。
【００５３】
各リンクアーム５４には、両サイドホルダ５２が近接する方向（間隔を狭めよとする方向）への付勢力を与える付勢手段６２が架け渡されている。このため、カートリッジ３０，４０が挿入されていない状態では、左右の回転ローラ５９の間隔は最も小さいカートリッジ３０の寸法に一致する状態となる。この状態から、小カートリッジ３０を挿入することにより、左右の回転ローラ５９は小カートリッジ３０をガイドすることになる。このように、回転ローラ５９，５９の間隔は、初期状態では小カートリッジ３０の寸法に一致しており、大カートリッジ４０を挿入する際には、付勢手段６２の付勢力に抗して押し広げられ、これによって大カートリッジ４０の挿入スペースが確保されるようになっている。
【００５４】
また、厚み方向のガイドとしては、カートリッジ下面を固定ホルダ５１が受け、カートリッジ上面をサイドホルダ５２に設けられた圧着ばね（図示せず）が上方から押圧することによって保持するようになっている。このため、固定ホルダ５１とサイドホルダ５２の厚み方向の寸法は最も大きいカートリッジ４０が入る寸法としておき、小カートリッジ３０の挿入時には、装置への装着時にカートリッジ３０，４０を押さえる上記圧着ばねの変位で吸収するように構成されている。
【００５５】
次に、図６〜図８を用いて大カートリッジ４０が挿入される際の動作について説明する。図６は大カートリッジ４０の前端面が操作部５８の回転ローラ５９に当接した状態を示している。この状態から大カートリッジ４０を押し込んでいくと、回転ローラ５９は大カートリッジ４０の前端面を回転スライドしていくと同時に、サイドホルダ５２，５２を左右に開いていく（図７参照）。そして、各サイドホルダ５２，５２の間隔が大カートリッジ４０の寸法と同等になったときに、回転ローラ５９はカートリッジ側面をスライドするようになり（図８参照）、サイドホルダ５２，５２の移動（間隔寸法の拡大動作）も停止する。この時、回転ローラ５９は、サイドホルダ５２のカートリッジ挿入方向前端側に設けられた段差部としてのサイドホルダ段差５３に入り込み、回転ローラ５９がサイドホルダ５２を押す。このサイドホルダ段差５３の段差寸法は回転ローラ５９の直径よりもやや小さい寸法に設定されている。このため、サイドホルダ５２，５２間を狭くする方向に戻そうとする付勢手段６２の側圧は、サイドホルダ段差５３から回転ローラ５９を介して、大カートリッジ４０の側面が受け、大カートリッジ４０はサイドホルダ５２から直接側圧を受けることはない（図１２の拡大図参照）。
【００５６】
一方、小カートリッジ３０を挿入する場合は上記回転ローラ５９の間隔がほぼ小カートリッジ３０の寸法で停止しているため、回転ローラ５９，５９の間を目標にそのまま挿入するだけである（図９参照）。この時、もし、小カートリッジ３０がどちらか片側の回転ローラ５９のみを押すような状況（図１０に示すような状況）が発生しても、次に説明する阻止機構が働き、挿入を阻止できるようになっている。
【００５７】
次に、上記阻止機構について詳細に説明する。阻止機構は、駆動アーム５７と連結アーム５６とリンクアーム５４との連結部に設けられている。この阻止機構は左右の操作部５８が同時に駆動した場合（カートリッジが左右の操作部５８を同時に押圧した場合）は働かないが、例えば、図１０に示すように、図中右側の操作部５８だけを駆動させる状況の場合には働いて平行リンク機構が作動しないようになっている。詳しくは、図１０に示す場合、上述した如く、右側のサイドホルダ５２とリンクアーム５４とは左側の駆動アーム５７によって駆動される構成であるため、図１１に示すように右側の阻止ピン６１は働くことがない（阻止ピン６１が移動しない）。その状態でさらに駆動アーム５７を回転駆動させようとしても阻止部６０が阻止ピン６１に当接して右側の駆動アーム５７だけでは作動できないように構成されている。つまり、左右の操作部５８，５８を同時に動作させて初めて阻止機構を働かなくすることができるため、誤ってカートリッジを片側に寄せて挿入した場合でも誤挿入されてしまうことはない。
【００５８】
本実施形態の阻止機構は、駆動アーム５７の阻止部６０と阻止ピン６１との間で阻止動作を行うが、この阻止ピン６１は、リンクアーム５４とサイドホルダ５２の連結部と、リンクアーム５４と連結アーム５６の連結部と、サイドホルダ５２を縮める方向に付勢する付勢手段６２を設けるバネ掛け部と、更にはサイドホルダ５２を縮める方向に動かした時の固定ホルダ５１に設けられた長穴５１ａとにそれぞれ当接して停止するストッパの役割を１つのピンで兼用し、これによって部品点数を削減している。もちろん阻止機構はこの位置に限ったものではない。
【００５９】
固定ホルダ５１に、カートリッジ３０，４０を挿入する場合のシャッタ開閉動作について説明する。今、固定ホルダ５１がベースシャーシ３に対して上方に回動した状態で、カートリッジ３０，４０を挿入した場合、先ず、サイドホルダ５２に設けられたシャッタ開閉用のバネ性を有したシャッタ保持部材７２の先端に設けられたシャッタ保持部材突起部（図示しない）がシャッタ３１，４１のシャッタ垂直部分に乗り上げ、シャッタ垂直部分を移動していく。そして、サイドホルダ５２に設けられた、ロック解除部材７１が図示しないロックレバーを解除し、その後、上記ロック解除部材７１がシャッタ３１，４１に当接すると同時に、上記シャッタ保持部材７２のシャッタ保持部材突起部がバネ力により、シャッタ３１，４１のシャッタ垂直部分に設けたシャッタ開口部に入り込み、シャッタ３１，４１をカートリッジホルダ５０の所定の位置で保持する。その後、カートリッジ３０，４０の押し込み動作にてカートリッジ本体は奥へ挿入されるが、シャッタ３１，４１はその位置で保持されているので、相対的にシャッタ３１，４１が開くことになる。
【００６０】
シャッタ３１，４１が閉まる場合は、上記シャッタ保持部材突起部がシャッタ３１，４１のシャッタ開口部に入り込んでいるため、カートリッジ３０，４０は挿入方向と反対方向に引き抜かれてもシャッタ３１，４１はその位置で保持され、シャッタ３１，４１がカートリッジ３０，４０の閉の位置にきたときに、ロック解除部材７１がシャッタ３１，４１から遠ざかり、ロックレバーによってシャッタ３１，４１がロックされ、シャッタ保持部材突起部がシャッタ３１，４１のシャッタ開口部から乗り上げ、その後、カートリッジ３０，４０の全体がカートリッジホルダ５０から引き抜かれる。
【００６１】
尚、固定ホルダ５１はベースシャーシ３の回転支点２７に回転支持され、装置上を揺動するように支持されており、カートリッジ３０，４０を装置上に装着するようになっている。つまり、モバイル機器等によく使われる、いわゆるカンガルーポケット型のカートリッジ装填装置として構成されている。
【００６２】
カートリッジ３０，４０を取り出す時はイジェクト機構（図示せず）によりカートリッジ３０，４０が排出される。大カートリッジ４０を取り出した後は上記付勢手段６２の力でサイドホルダ５２や操作部５８は元の状態に戻る。
【００６３】
例えば、ここで大カートリッジ４０に内蔵されているディスク径は約６４ｍｍであり、小カートリッジ３０は約５０ｍｍのディスク径であり、ビデオムービ等の長時間記録に適したモバイル機器に利用することができ、小カートリッジ３０専用の装置との互換性を簡単にとることができる。
【００６４】
以上、複数の大きさのカートリッジに適応できる光磁気ディスク装置について説明を行ったが、大小のカートリッジを有するフロッピーディスク、光ディスクなどにも適応可能である。
【００６５】
（第２実施形態）
次に、本発明の第２実施形態について説明する。本形態は幅可変機構の構成が上記第１実施形態のものと異なっており、その他の構成は略同一である。従って、ここでは幅可変機構の構成についてのみ説明する。
【００６６】
図１３は本形態に係る可変式カートリッジホルダ５０を搭載したディスク装置に対して大カートリッジ４０を挿入する際の図であり、図１４はこのディスク装置に対して小カートリッジ３０を挿入する際の図である。また、図１５（ａ）はディスク装置の平面図、図１５（ｂ）はディスク装置の側面図、図１５（ｃ）はディスク装置の底面図である。更に、図１６は図１３に示す状態での装置内部機構を示す斜視図であり、図１７は図１４に示す状態での装置内部機構を示す斜視図である。
【００６７】
これら各図に示すように、本ディスク装置においては、サイドホルダ５２、リンクアーム５４、駆動アーム５７の形状が上記第１実施形態のものと異なっている。また、本形態の幅可変機構は、連結アーム５６を不要としたものである。
【００６８】
第１実施形態のものと同様に、固定ホルダ５１の内部の左右には、それぞれ略Ｌ字形状をしたサイドホルダ５２，５２が配置されている。左右一対のサイドホルダ５２，５２は、上面において互いに平行な２本のリンクアーム５４，５４によって連結されており、横方向に動作する平行リンク機構を構成している。そして、２本のリンクアーム５４，５４のほぼ中央で上記固定ホルダ５１に回転自在に支持されている。このリンクアーム５４の支点と左右のサイドホルダ５２に連結されている位置との比を変えることによって左右一対のサイドホルダ５２，５２の可変量を変えることもできる。
【００６９】
また、図１９に示すように、上記左右一対のサイドホルダ５２のカートリッジ挿入側にはそれぞれ幅方向に拡がる側に段差部５２ａが設けられ、上記操作部５８の回転ローラ５９が入り込み、大カートリッジ４０からの挿入力を段差部５２ａに伝え、上記左右一対のサイドホルダ５２の幅を可変するようになっている。また、回転ローラ５９は上記サイドホルダ５２の段差部５２ａとサイドホルダ５２上面との間に挟み込まれて一体的に動くようになっており、片方の駆動アーム５７で片方のサイドホルダ５２を開いた場合には、もう一方の駆動アーム５７ももう片側のサイドホルダ５２にて駆動されようとするものである。
【００７０】
次に、本形態における阻止機構について説明する。最も小さいカートリッジ３０の幅方向外側で、それ以外のカートリッジ４０の幅方向内側の間でカートリッジに当接するように左右一対の阻止レバー６０が設けられている。阻止レバー６０は固定ホルダ５１の内部の上部すなわちカートリッジ４０の上側に、カートリッジ厚み方向に揺動するように回転保持されている。そして、カートリッジ４０方向にばね６３にて付勢力が掛けられている。
【００７１】
阻止レバー６０には、カートリッジ４０からの力によってカートリッジ上方向に変位するようにカートリッジ挿入側に阻止レバー６０ａがそして上記駆動アーム５７の回転を妨げるように阻止ピン６１が、また、大カートリッジ４０の挿入位置を決めるためのガイド部６０ｂと上記ばね６３を取り付けるばね掛け部６０ｃが設けられている。
【００７２】
上記駆動アーム５７はカートリッジ３０，４０が挿入されていない時に、上記阻止ピン６１と当接している部分以外にも、駆動アーム５７が回転後にも阻止ピン６１と係合する切り欠き５７ａが数カ所に設けられている。
【００７３】
以上のような構成で図１８〜２２を用いて、大カートリッジ４０が挿入される状態を説明する。
【００７４】
図１８は図１６のリンク機構の部分をカートリッジ上から見た図である。図１９、図２１、図２２は、図１８に示す状態からカートリッジを挿入していく図の説明であるが、説明しやすいように、図１８の裏面から見た図を表している。
【００７５】
図１９は、大カートリッジ４０を可変式カートリッジホルダ５０に挿入し始めた状態を示す図で、阻止レバー操作部６０ａに当接し、阻止レバー６０を解除した状態である。この状態の側面図を図２０に示す。図のように大カートリッジ４０の上面で阻止レバー６０を解除しているため、駆動アーム５７の回転を阻止している阻止ピン６１が駆動アーム５７から外れ、駆動アーム５７が回転できる状態になっている。なお、阻止レバーのガイド部６０ｂは大カートリッジ４０を挿入する時のガイドとなるものである。
【００７６】
この状態からさらに押し込んだ図が図２１である。大カートリッジ４０の前端が回転ローラ５９を押し、回転ローラ５９がサイドホルダ段差部５２ａを押し、平行リンクで左右が連結されたサイドホルダ５２が左右に拡がっていく。
【００７７】
そして、回転ローラ５９が大カートリッジ４０の側面に移動した時にサイドホルダ５２の幅が、ちょうど大カートリッジ４０の幅となり、拡大が停止する。
【００７８】
この状態のとき、回転ローラ５９はサイドホルダ段差５２ａに入り込んでいるが、この段差は回転ローラ５９の直径よりもやや小さい寸法でできていることから、サイドホルダ５２間を狭くなる方向に戻そうとする付勢手段６２の側圧は、サイドホルダ段差５２ａから回転ローラ５９を介して、大カートリッジ４０の側面が受け、大カートリッジ４０はサイドホルダ５２から直接側圧を受けることはない。そのため挿入力が軽くできるものである。
【００７９】
次に、小カートリッジ３０を挿入する場合を図２４を用いて説明する。この図も同じく裏面から表した図である。図においてサイドホルダ５２はその間隔が縮まろうとする方向に掛けられている付勢手段６２によって縮まって停止しており、そして上記回転ローラ５９の間隔がほぼ小カートリッジ３０の寸法になっている。そのため、小カートリッジ３０は、回転ローラ５９の間を目標にそのまま挿入するだけでよい。回転ローラ５９は阻止機構によって動かないようになっているので、小カートリッジ３０が誤った位置に挿入されることはない。
【００８０】
次に、図２５及び図２６にて阻止機構の動作について説明する。図２５も同じく裏面図を表している。今、小カートリッジ３０を片側に寄せた状態で挿入したとする。大カートリッジ４０挿入時と同様に、小カートリッジ３０上面によって阻止レバー６０を解除するが、片側だけの解除のため、もう片側では解除は行われていない。上述したようにサイドホルダ５２と駆動アーム５７は一体的に動作し、かつサイドホルダ５２はリンクアーム５４にて左右が連結しているため、両側の阻止の解除が行われないと動かない構造である。故に片方の阻止レバー６０の解除だけでは、小カートリッジ３０は回転ローラ５９を奥へ押し込むことができないので、誤挿入が防止されるものである。
【００８１】
また、挿入時に故意に両側の阻止レバー６０を両手で解除して小カートリッジ３０を押し込んだ場合でも、挿入途中で阻止レバー６０を離せば、阻止ピン６１が再度駆動アーム５７の切り欠き５７ａに入り込むため、途中でそれ以上回転ローラ５９を押し込めなくなり、途中で誤挿入を防止することができるものである（図２６参照）。
【００８２】
−その他の実施形態−
上述した各実施形態では、本発明を光磁気ディスク記録再生装置に適用した場合について説明したが、その他のディスク装置に対しても適用可能である。
【００８３】
【発明の効果】
以上のように、本発明では、複数種類のカートリッジ（３０，４０）のうち幅方向の寸法が最も小さいもの（３０）以外のカートリッジ（４０）を挿入する際、その挿入されるカートリッジ（４０）の幅方向の寸法に応じて、各サイドホルダ（５２，５２）を挿入空間幅方向に左右連動して移動させる幅可変機構を備えさせている。このため、大きさの異なるカートリッジ（３０，４０）に対応可能なディスク装置を得ることができ、しかも、カートリッジ（４０）の幅方向の寸法に応じてサイドホルダ（５２，５２）が挿入空間幅方向に移動するため、カートリッジ（４０）を正確に位置決めしながら挿入空間に挿入することが可能になる。
【００８４】
特に、一対の駆動アーム（５７，５７）のうち一方の駆動アーム（５７）のみにカートリッジ（３０，４０）の挿入側前端部が当接した際に、幅可変機構の作動を阻止する構成を採用した場合には、正確な位置にカートリッジ（３０，４０）を挿入しない限り幅可変機構は作動しないため、カートリッジ挿入時の誤作動を回避することが可能となり、この誤作動に伴う装置の内部機構の破損を回避することができる。
【図面の簡単な説明】
【図１】第１実施形態において大カートリッジを挿入する際の状態を示す斜視図である。
【図２】第１実施形態において小カートリッジを挿入する際の状態を示す斜視図である。
【図３】（ａ）はディスク装置の平面図、（ｂ）はディスク装置の側面図、（ｃ）はディスク装置の底面図である。
【図４】図１に示す状態での装置内部機構を示す斜視図である。
【図５】図２に示す状態での装置内部機構を示す斜視図である。
【図６】大カートリッジの前端面が操作部の回転ローラに当接した状態を示す図である。
【図７】大カートリッジの前端面が操作部の回転ローラを押圧した状態を示す図である。
【図８】回転ローラがカートリッジ側面をスライドする状態を示す図である。
【図９】小カートリッジの挿入動作を説明するための図である。
【図１０】小カートリッジが片側の回転ローラのみを押圧した状態を示す図である。
【図１１】阻止機構の作動状態を説明するための図である。
【図１２】回転ローラがサイドホルダ段差に入り込んだ状態を示す図である。
【図１３】第２実施形態における図１相当図である。
【図１４】第２実施形態における図２相当図である。
【図１５】第２実施形態における図３相当図である。
【図１６】第２実施形態における図４相当図である。
【図１７】第２実施形態における図５相当図である。
【図１８】第２実施形態における幅可変機構を示す平面図である。
【図１９】第２実施形態における図６相当図である。
【図２０】カートリッジ挿入時の状態を示す側面図である。
【図２１】第２実施形態における図７相当図である。
【図２２】第２実施形態における図８相当図である。
【図２３】小カートリッジの挿入動作を説明するための図である。
【図２４】第２実施形態における図９相当図である。
【図２５】第２実施形態における図１０相当図である。
【図２６】第２実施形態における阻止機構の作動状態を説明するための図である。
【図２７】従来例における図３相当図である。
【符号の説明】
１          光磁気ディスク
３          ベースシャーシ
３０        小カートリッジ
４０        大カートリッジ
５１        固定ホルダ
５２        サイドホルダ（ホルダ部材）
５３，５２ａ  サイドホルダ段差（段差部）
５４        リンクアーム（リンク、伸縮手段）
５６        連結アーム（連結手段）
５７        駆動アーム（駆動機構）
５９        回転ローラ
６０        阻止レバー
６２        付勢手段
【図１】
0004076771.tif 000002
【図２】
0004076771.tif 000003
【図３】
0004076771.tif 000004
【図４】
0004076771.tif 000005
【図５】
0004076771.tif 000006
【図６】
0004076771.tif 000007
【図７】
0004076771.tif 000008
【図８】
0004076771.tif 000009
【図９】
0004076771.tif 000010
【図１０】
0004076771.tif 000011
【図１１】
0004076771.tif 000012
【図１２】
0004076771.tif 000013
【図１３】
0004076771.tif 000014
【図１４】
0004076771.tif 000015
【図１５】
0004076771.tif 000016
【図１６】
0004076771.tif 000017
【図１７】
0004076771.tif 000018
【図１８】
0004076771.tif 000019
【図１９】
0004076771.tif 000020
【図２０】
0004076771.tif 000021
【図２１】
0004076771.tif 000022
【図２２】
0004076771.tif 000023
【図２３】
0004076771.tif 000024
【図２４】
0004076771.tif 000025
【図２５】
0004076771.tif 000026
【図２６】
0004076771.tif 000027
【図２７】
0004076771.tif 000028